(57)【要約】【課題】  小さな装飾体や平板状の装飾体に対しても、難加工性のピン部を確実に固定するピアスを得る。【解決手段】  装飾体２の裏側には平面部２ａが形成され、この平面部２ａにピン部３が接着されている。ピン部３の先端部には、平面状の接着面３ｂを有する頭部３ａが設けられている。カバー部４は椀状とされ、ピン部３に挿通可能な孔４ａを有し、ピン部３に挿通して頭部３ａを外側から覆うようにされている。カバー部４の内側に接着剤Ｂを収納し、ピン部３にカバー部４を挿通し、カバー部４を押し込んで頭部３ａの周囲を覆い、カバー部４と頭部３ａ、装飾体２との間の空隙内に接着剤Ｂを充填し接着がなされる。同時に、装飾体２の平面部２ａと頭部３ａの接着面３ｂとの間にも接着剤Ｂが入り込み、平面部２ａと接着面３ｂ同士の間においても接着がなされる。【選択図】図２
2019025012.tif 000002
【特許請求の範囲】
【請求項１】
装飾体と、該装飾体に対する接着面を有する頭部を先端に設け、難加工性であるピン部と、中央に孔部を有し、前記ピン部に挿通可能で前記頭部を覆う椀状又は錐状のカバー部と、前記ピン部に挿通するストッパ部とから成り、前記装飾体の裏面に前記頭部の接着面を当接した状態で、前記孔部に前記ピン部に挿通した前記カバー部と、前記装飾体の裏面との間の空隙内に接着剤を充填し、前記ピン部を前記装飾体に固定したことを特徴とするピアス。
【請求項２】
前記装飾体は裏面に平面部を有し、前記頭部の接着面は前記装飾体の平面部に対する平面状としたことを特徴とする請求項１に記載のピアス。
【請求項３】
前記カバー部の内側には、前記接着剤を必要な量だけ収納するに足る大きさの窪みを設けたことを特徴とする請求項１又２に記載のピアス。
【請求項４】
前記ストッパ部は前記ピン部の任意の位置で係止可能としたことを特徴とする請求項１〜３の何れか１項に記載のピアス。
【発明の詳細な説明】
【技術分野】
【０００１】
本発明は、耳たぶに穿けた孔部にピン部を貫通させて、耳たぶに装着するピアスに関するものである。
【背景技術】
【０００２】
従来のピアスの製造工程では、装飾体に穴部を穿け、この穴部にピン部を挿入し接着剤を用いて固定したり、或いはピン部の先端にねじを刻設し、装飾体のねじ溝にねじ込んで固定している。
【先行技術文献】
【特許文献】
【０００３】
【特許文献１】特開２００４−１９５１６１号公報
【発明の概要】
【発明が解決しようとする課題】
【０００４】
このような従来工程では、特許文献１におけるピアスのように、例えば真珠などの比較的奥行が大きな装飾体を使用する場合には、十分な深さの穴部を穿けることができ、ピン部を装飾体に安定して固定することができる。
【０００５】
しかし、小さな装飾体や平板状の装飾体の場合には、十分な深さの穴部を穿けることができず、ピン部を装飾体に確実に固定することが困難である。
【０００６】
また近年では、ピン部等が真鍮等の金属製のピアスに代えて、金属アレルギー反応が生じ難い素材であるチタン合金、セラミックスのピン部を使用することがある。しかし、これらの素材は難加工性材料であるため、ピン部の先端にねじを刻設することが困難であるという問題もある。更に、チタン合金、セラミックスはプレス加工や溶接が難しいので、装飾体への取り付け加工が制限されてしまう。
【０００７】
本発明の目的は、上述の課題を解消し、小さな装飾体や平板状の装飾体に対しても、金属アレルギー反応が生じ難い素材から成るピン部を装飾体に確実に固定できるピアスを提供することにある。
【課題を解決するための手段】
【０００８】
上記目的を達成するための本発明に係るピアスは、装飾体と、該装飾体に対する接着面を有する頭部を先端に設け、金属アレルギー反応が生じ難い素材であって難加工性であるピン部と、中央に孔部を有し、前記ピン部に挿通可能で前記頭部を覆う椀状又は錐状のカバー部と、前記ピン部に挿通するストッパ部とから成り、前記装飾体の裏面に前記頭部の接着面を当接した状態で、前記孔部に前記ピン部に挿通した前記カバー部と、前記装飾体の裏面との間の空隙内に接着剤を充填し、前記ピン部を前記装飾体に固定したことを特徴とする。
【発明の効果】
【０００９】
本発明に係るピアスは、カバー部内に接着剤を充填した状態で、ピン部を装飾体に固定することで、難加工性であるピン部であっても、容易に装飾体に固定することができる。特に、平面部を有する装飾体に対しては、強固にピン部を固定することが可能である。
【図面の簡単な説明】
【００１０】
【図１】実施例のピアスの分解斜視図である。
【図２】ピアスの断面図である。
【図３】ピアスの使用状態の説明図である。
【発明を実施するための形態】
【００１１】
本発明を図示の実施例に基づいて詳細に説明する。
図１は実施例のピアス１の分解斜視図、図２は装飾体２にピン部３を固定した状態の断面図を示している。ピアス１は、装飾体２と、ピン部３と、カバー部４と、ストッパ部５とから構成されている。
【００１２】
装飾体２には、宝石や樹脂、金属から成る種々の材料、形状の物の使用が可能であるが、裏面には平面部が形成されていることが好ましい。実施例においては、装飾体２は裏面に平面部２ａを有する例えば平板状のハート型とされ、材質は樹脂、金属等から構成されている。
【００１３】
平面部２ａにピン部３が接着されており、ピン部３の先端部には、例えば釘のように円板状の頭部３ａが設けられている。頭部３ａの表面は、装飾体２の平面部２ａとの接触面積を大とするための平面状の接着面３ｂとされている。
【００１４】
カバー部４は円弧状表面を有する椀状とされ、中央にピン部３に挿通可能な孔４ａが設けられている。そして、この孔４ａの内径と、ピン部３の直径は略一致している。なお、カバー部４は椀状以外に錐状を採用することもできる。
【００１５】
カバー部４はピン部３を装飾体２に当接した状態において、ピン部３に挿通して頭部３ａを外側から覆うようにされている。また、カバー部４の内側の窪みの容積は、装飾体２とピン部３とを強固に固定するに足る必要な量の接着剤Ｂを収納し得る大きさとされている。
【００１６】
また、ストッパ部５はピン部３に挿通可能とされ、耳たぶからのピアス１の脱落を防止するために、ピン部３に対し係止可能とされている。例えば、ストッパ部５はばねを備え、外側から押すとばねが緩みピン部３に沿って移動可能となり、離すとばねが戻り、ピン部３に対し係止できる係止機構とされている。
【００１７】
このようにストッパ部５は、ピン部３に挿通自在とされていると共に、例えば耳たぶの厚みに応じてピン部３の任意の位置において係止できるようにされている。
【００１８】
ピン部３、カバー部４、ストッパ部５の材質には、難加工性材料であるものの金属アレルギー反応が生じ難い素材であるチタン合金、セラミックスにより成型したものを用いることが好ましい。なお、カバー部４、ストッパ部５に関しては、ピン部３に比べて強度を必要としないため、樹脂製を採用することもできる。
【００１９】
組立ての際には、装飾体２の平面部２ａに、ピン部３の頭部３ａの接着面３ｂを当接させ、ピン部３にカバー部４を孔４ａを介して挿通する。カバー部４の内側に例えばアクリル樹脂系の瞬間接着剤Ｂを収納し、カバー部４をピン部３に沿って押し込んで頭部３ａの周囲を覆った状態にする。
【００２０】
このように、装飾体２に頭部３ａの接着面を当接した状態で、カバー部４と装飾体２の表面との間の空隙に接着剤Ｂを充填させた状態にする。このとき、カバー部４の内側は椀状の窪みとされているので、接着剤Ｂを保持し易く、硬化の際の接着剤Ｂに対する成形型としての役割をも果たすことになる。
【００２１】
このようにして、接着剤Ｂは装飾体２とカバー部４の間の空隙内に充填され、ピン部３の先端の頭部３ａの周囲が、装飾体２に対し接着剤Ｂの硬化により固定される。また、装飾体２の平面部２ａと頭部３ａの接着面３ｂとの間にも、接着剤Ｂがその表面張力により入り込み、平面部２ａと接着面３ｂ同士の間についても接着がなされる。
【００２２】
接着に際しては、接着剤Ｂの量は稍々多めにカバー部４の窪み内に収納し、カバー部４とピン部３との隙間から押し出されてはみ出た接着剤Ｂを拭き取るくらいのほうが好ましく、接着剤Ｂが硬化しても内部に空洞が生ずることがなくなり、接着はより強固となる。
【００２３】
特に、装飾体２も平面部２ａ及び頭部３ａの接着面３ｂを平面状としたことにより、装飾体２に対し頭部３ａを十分に密着させることができ、ピン部３は装飾体２に対して広い面積で固定され、取付強度を大きく向上させることができる。
【００２４】
接着剤Ｂが硬化すると、装飾体２にピン部３に対する力が作用しても、頭部３ａは接着剤Ｂにより、その周囲を含めて装飾体２に固着されているので、ピン部３が装飾体２から剥離する虞れは少ない。
【００２５】
また、接着剤Ｂの硬化後においても、硬化した接着剤Ｂはカバー部４により覆われ、空気や大陽光に触れることがない。従って、硬化した接着剤Ｂは劣化し難く、接着剤Ｂの接着効果を長期間維持することができる。
【００２６】
このピアス１の使用に際しては、図３に示すように、ピン部３を耳たぶＥの前面から耳たぶＥに穿けた孔部に挿通して、装飾体２を耳たぶＥの表側に位置させ、耳たぶＥの裏側に突き出たピン部３に、ストッパ部５を挿通して任意の位置で係止することにより、耳たぶＥを適切な力で挟着し、また耳たぶＥからピアス１が脱落することもない。
【００２７】
使用中においては、装飾体２はカバー部４を介して耳たぶＥに接するので、装飾体２と耳たぶＥとの間に間隙が生じ、装飾体２が耳たぶＥに直接触れる煩わしさもなく、また見栄えも良くなる。
【００２８】
このように、本発明に係るピアスは、カバー部４内に接着剤Ｂを充填した状態で、ピン部３を装飾体２に固定することで、金属アレルギー反応が生じ難い素材であって難加工性であるピン部３であっても、容易に装飾体２に固定することができる。特に、平面部２ａを有する装飾体２に対しては、強固にピン部３を固定することが可能となる。
【符号の説明】
【００２９】
１  ピアス
２  装飾体
２ａ  平面部
３  ピン部
３ａ  頭部
３ｂ  接着面
４  カバー部
４ａ  孔
５  ストッパ部
Ｂ  接着剤
Ｅ  耳たぶ
【図１】
2019025012.tif 000003
【図２】
2019025012.tif 000004
【図３】
2019025012.tif 000005